(57)【要約】  オーバーシューズダンス装置は、タップの向上した位置決めと安定したな配置を可能にする。この装置は、靴を受け入れるための弾性スリッパを備え、弾性スリッパは、長手方向軸線、下側部分、つま先部分、および踵部分を含み、弾性スリッパの下側部分に取り付けられた少なくとも２つのタップと、少なくとも２つのタップのうちの少なくとも１つと、弾性スリッパの下側部分との間に配置された中間層とを有する。少なくとも２つのタップの第１のタップは、弾性スリッパのつま先部分の長手方向軸線に沿って少なくとも等しく最前方点まで延び、少なくとも２つのタップの第２のタップは、弾性スリッパの踵部分の長手方向軸線に沿って少なくとも等しく最後方点まで延びる。
2018509265.tif 000002
【特許請求の範囲】
【請求項１】
オーバーシューズダンス装置であって、
靴を受け入れるための弾性スリッパであって、長手方向軸線、下側部分、つま先部分および踵部分を含む弾性スリッパと、
少なくとも２つのタップと、
前記少なくとも２つのタップのうちの少なくとも１つと前記スリッパの下側部分との間に配置された中間層と、
前記タップの各々を前記スリッパの下側部分に取り外し可能に固定するための取り外し可能な固定具と、を備えており、
前記少なくとも２つのタップの第１のタップが、前記スリッパのつま先部分の長手方向軸線に沿って少なくとも等しく最前方点まで延び、前記少なくとも２つのタップの第２のタップが、前記スリッパの踵部分の長手方向軸線に沿って少なくとも等しく最後方点まで延びる、オーバーシューズダンス装置。
【請求項２】
滑り防止のためにスリッパの下側部分から突出する把持手段をさらに備える、請求項１に記載の装置。
【請求項３】
前記スリッパが、切り抜き領域を含む、請求項１に記載の装置。
【請求項４】
前記中間層がポリウレタンを含む、請求項１に記載の装置。
【請求項５】
前記スリッパがシリコーンを含む、請求項１に記載の装置。
【請求項６】
前記タップが金属を含む、請求項１に記載の装置。
【請求項７】
前記取り外し可能な固定具がねじである、請求項１に記載の装置。
【請求項８】
オーバーシューズダンス装置であって、
靴を受け入れるための弾性スリッパであって、長手方向軸線、下側部分、つま先部分および踵部分を含む弾性スリッパと、
前記スリッパの下側部分に取り付けられた少なくとも２つのタップと、
前記少なくとも２つのタップのうちの少なくとも１つと前記スリッパの下側部分との間に配置された中間層と、を備えており、
前記少なくとも２つのタップの第１のタップが、前記スリッパのつま先部分の長手方向軸線に沿って少なくとも等しく最前方点まで延び、前記少なくとも２つのタップの第２のタップが、前記スリッパの踵部分の長手方向軸線に沿って少なくとも等しく最後方点まで延びる、オーバーシューズダンス装置。
【請求項９】
前記タップのそれぞれを前記スリッパの下側部分に取り外し可能に固定するための取り外し可能な固定具をさらに備える、請求項８に記載の装置。
【請求項１０】
滑り防止のために前記スリッパの下側部分から突出する把持手段をさらに備える、請求項８に記載の装置。
【請求項１１】
前記スリッパが、切り抜き領域を含む、請求項８に記載の装置。
【請求項１２】
前記中間層がポリウレタンを含む、請求項８に記載の装置。
【請求項１３】
前記スリッパがシリコーンを含む、請求項８に記載の装置。
【請求項１４】
前記タップが金属を含む、請求項８に記載の装置。
【請求項１５】
取り外し可能な固定具がねじである、請求項９に記載の装置。
【発明の詳細な説明】
【技術分野】
【０００１】
本発明は、オーバーシューズ（ｏｖｅｒ−ｔｈｅ−ｓｈｏ）ダンス装置に関する。特に限定的ではないが、本発明は、タップダンス用の取り付けタップを含むオーバーシューズダンス装置に関する。
【背景技術】
【０００２】
他のスタイルのダンスと同様に、タップダンスには、ダンスルーチンを作成するために組み合わされた多くの認識された動きやステップがある。これらのダンスステップは、基本的なもの（シャッフル、ボールドッグ、ヒールドロップ）から、基本の動きと中間の動きを素早く連続して組み合わせた、より高度な動きまで様々である。これらの動きは、特に脚と足を使って体の特定の動きを起こさせることをダンサーに求める。タップダンスは、他の形式のダンスの大半とは少なくとも１つの重要な点で異なる。すなわち、タップ音である。タップダンスの主要な目的は、ダンサーがパフォーマンスの視覚的な側面を作り出すときに、ダンス用の床でダンサーの靴のタップの作用によって音を作り出すことである。タップダンスは、音楽的な音と比較することができ、ドラマーのドラムスティックやギター奏者のギター弦と同様に、ダンサーが楽器のように自分の靴を使ってダンス用の床を打って音を生成する。ダンサーが靴をどのように使うかは、ダンサーがタップダンスの「音楽」を作り出す方法の重要な要素である。経験豊富なタップダンサーにとっては、床に対する衝撃強度および衝撃速度の組み合わせ、ならびにダンス用の床に対する靴の衝突点（ｉｍｐａｃｔ  ｐｏｉｎｔ）の位置が、ダンサーの動きによって生成される音の種類および強度に影響を及ぼす。現在入手可能なタップダンスシューズは数多くあるが、すべてのタップシューズは同じ構造を有している。つまり、ダンサーの足に装着された靴の部分と、靴の底面にある１対のタップであり、１対のタップの一方は靴のつま先部分またはその近くに位置し、他方は靴の踵部分またはその近くに位置する。
【０００３】
タップダンスシューズは伝統的に硬質のソールで作られているため、タップは靴のソールの所定の場所にねじ留めされる。これは、衝撃の多い身体活動を行っているダンサーにとってほとんど衝撃吸収をしない。硬質のソールは、ダンサーが行うことができる動きの範囲も制限する。典型的には、タップは、ねじ、リベット、接着剤または他の種類のコネクタを用いて靴の底に取り付けられる金属プレートである。このような設計の不都合な点は、ねじがしばしば時間と共に摩耗するため、ねじを緩めずに硬い靴の底にしっかりと適合できるように、ソールを度々交換しなければならいことである。
【０００４】
さらに、専用のタップシューズは、従来の定形サイズで製造されている。このため、中程度のサイズの足や、薄い足や幅広の足などの変則的な形状を有するタップダンサーは、怪我や足の悪化を引き起こす可能性のある、あるいは、タップダンスの演技や練習の質に影響を及ぼすことがある足に合わない靴を着用しなければならない。さらに、矯正用の支持具のような装置を必要とするタップダンサーは、一般に、従来のタップシューズでこのような装置を着用することができず、また、従来のタップシューズは、様々な回内運動を行うダンサーのための足首サポートやアーチサポートのような他の支持具をほとんど提供しない。
【０００５】
したがって、使用者がランニングシューズまたはジム用シューズなどの適切にフィットしかつサポートする靴を着用することを可能にするオーバシューズアタッチメントに対して市場における重要な必要性があると結論づけられ、そのようなオーバシューズアタッチメントは、使用者の足の形状に快適に適応でき、様々なレベルの足首サポートやアーチサポートを提供し、必要に応じて矯正具の挿入を可能にする。
【０００６】
従来の専用タップシューズは滑りやすく、床の把持部品だけでなく、安定性を補佐して足首の自然な旋回を制限するためのシューズクッション材を必要とする初心者ダンサーにとっては特に滑りやすい。専用のタップシューズは高価であることが多く、繰り返し使用すると摩滅しやすいため、タップダンスは、初心者や、入門用のタップダンスクラスのみを受けるかもしれない子供の親にとっては費用のかかるものとなり、そのような人たちは、時にまた主に、心拍数を一時的に増やすことと結びつけてそのために参加することのみを希望する。
【０００７】
オーバーシューズアタッチメントは、費用対効果に優れた解決策であり、また、使用者がすでに靴を装着した後では可能かもしれないし可能でないかもしれないが、交換が必要な不適切なタップシューズの潜在的な必要性を取り除くことで、不要な経済的浪費を排除する。
【０００８】
より安価なタップシューズの選択肢を提供するために、取り付け可能なタップを備えたオーバーシューズタイプのシューズアクセサリに関して、様々なタップシューズの開発がなされてきたが、これらのアクセサリは、タップの不十分な位置決めにより、タップから豊かでない、音の減少したスペクトラムを提供する傾向にある。さらに、これらの従来のアクセサリは、足全体に配置される踵のタップとつま先のタップの両方を適切に提供することができず、可能なタップの動きを減らし、タップダンスの経験内容や動作の質に不都合な影響を与える。このような従来のアクセサリは、靴にアクセサリを適切に固定することができず、あるいは、タップダンサーがアクセサリを着用している間に床の把持を支持するのにも役立たなかった。
【発明の概要】
【発明が解決しようとする課題】
【０００９】
したがって、上記の全てに基づいて、改良されたオーバーシューズタップダンス装置が明らかに必要とされている。
【課題を解決するための手段】
【００１０】
１つの態様によれば、本発明は、オーバーシューズダンス装置であって、
靴を受け入れるための弾性（ｅｌａｓｔｏｍｅｒｉｃ）スリッパであって、長手方向軸線、下側部分、つま先部分および踵部分を含む、弾性スリッパと、
少なくとも２つのタップと、
前記少なくとも２つのタップのうちの少なくとも１つと前記スリッパの下側部分との間に配置された中間層と、
前記タップの各々を前記スリッパの下側部分に取り外し可能に固定するための取り外し可能な固定具と、を備えており、
前記少なくとも２つのタップの第１のタップが、前記スリッパのつま先部分の長手方向軸線に沿って少なくとも等しく最前方点（ｆｏｒｗａｒｄ  ｍｏｓｔ  ｐｏｉｎｔ）まで延び、前記少なくとも２つのタップの第２のタップが、前記スリッパの踵部分の長手方向軸線に沿って少なくとも等しく最後方点（ｒｅａｒｗａｒｄ  ｍｏｓｔ  ｐｏｉｎｔ）まで延びる。
【００１１】
好ましくは、前記装置は、滑り防止のために弾性スリッパの下側部分から突出する把持手段を含む。
好ましくは、弾性スリッパは切り抜き領域を含む。
【００１２】
好ましくは、中間層はポリウレタンを含む。
好ましくは、弾性スリッパはシリコーンを含む。
好ましくは、タップは金属を含む。
【００１３】
好ましくは、取り外し可能な固定具はねじ（ｔｈｒｅａｄｅｄ  ｓｃｒｅｗ）である。
別の態様によれば、本発明は、オーバーシューズダンス装置であって、
靴を受け入れるための弾性スリッパであって、長手方向軸線、下側部分、つま先部分および踵部分を含む、弾性スリッパと、
前記スリッパの下側部分に取り付けられた少なくとも２つのタップと、
前記少なくとも２つのタップのうちの少なくとも１つと前記スリッパの下側部分との間に配置された中間層と、を備えており、
前記少なくとも２つのタップの第１のタップが、前記スリッパのつま先部分の長手方向軸線に沿って少なくとも等しく最前方点まで延び、前記少なくとも２つのタップの第２のタップが、前記スリッパの踵部分の長手方向軸線に沿って少なくとも等しく最後方点まで延びる。
【００１４】
好ましくは、前記装置はさらに、各タップを弾性スリッパの下側部分に取り外し可能に固定するための取り外し可能な固定具を含む。
本発明の理解を助けるために、また当業者が本発明を実施できるように、本発明の好ましい実施形態を、添付の図面を参照して例として以下に説明する。
【図面の簡単な説明】
【００１５】
【図１】本発明によるオーバーシューズダンス装置の一実施形態の側面図である。
【図２】図１のオーバーシューズダンス装置の底面図である。
【図３】本発明の一実施形態による図１のオーバーシューズダンス装置の上面図である。
【図４】本発明の一実施形態による図１のオーバーシューズダンス装置の正面図である。
【図５】本発明の一実施形態による図１のオーバーシューズダンス装置の背面図である。
【図６】本発明の一実施形態による図１のオーバーシューズダンス装置の斜視図である。
【図７】ランニングシューズに装着されたときの本発明の一実施形態によるオーバーシューズダンス装置を示す。
【発明を実施するための形態】
【００１６】
当業者であれば、図面に示されている構成要素の対称的レイアウトからの僅かな逸脱が、本発明の開示された実施形態の適切な機能を損なわないことを理解するであろう。
本発明の一実施形態は、以下に定義され説明される弾性スリッパと、このスリッパの下側部分に取り付けられるタップダンス用のタップとを含むオーバーシューズダンス装置を含む。本発明の要素は、図面および写真画像において簡潔な概略形式で示されており、本明細書の記載に照らして当業者には明白であろう内容を過度に詳細にすることで開示内容を不明瞭にしないように、本発明の実施形態を理解するために必要な特定の詳細のみを示している。
【００１７】
一態様によれば、本発明は、オーバーシューズダンス装置として定義される。この装置は、靴を受け入れるための弾性スリッパを含む。弾性スリッパは、長手方向軸線、下側部分、つま先部分および踵部分と、少なくとも２つのタップとを含む。さらに、この装置は、少なくとも２つのタップのうちの少なくとも１つと弾性スリッパの下側部との間に配置された中間層と、各タップをスリッパの下側部分に取り外し可能に固定するための取り外し可能な固定具とを含む。少なくとも２つのタップの第１のタップは、弾性スリッパのつま先部分の長手方向軸線に沿って少なくとも等しく最前方点まで延び、少なくとも２つのタップの第２のタップは、弾性スリッパの踵部分の長手方向軸線に沿って少なくとも等しく最後方点まで延びる。
【００１８】
有利なことに、本発明の実施形態は、使用に際し、専門のタップシューズにより類似し、他の市販されているオーバーシューズダンス装置よりも豊かでより良い音のスペクトルを生成するオーバーシューズダンス装置を提供する。
【００１９】
有利には、本発明の実施形態は、使用者の靴の脱ぎ履きを容易にする軽量設計を提供するひも無しである。使用者は、ランニングシューズまたはスポーツシューズのようなクッション性および衝撃吸収性を有する靴にアタッチメントを使用することができる。
【００２０】
有利なことに、本発明の実施形態は、すべての使用者の足のサイズおよび形状に適切に対応するために、本発明を少数のサイズで作製することができる範囲において弾性および切り抜き領域を提供する。
【００２１】
有利なことに、本発明の実施形態は、滑り防止と、初心者のダンサーの学習経験を豊かにするために、弾性スリッパの下側部分から突出する把持手段を提供する。
本明細書では、第１および第２、左および右、表および裏、頂部および底部などの形容詞が、それらの形容詞によって説明される特定の相対位置や配置を必ずしも必要としないで、１つの要素や方法ステップを別の要素や方法ステップから定義するためにのみ使用される。「含む（ｃｏｍｐｒｉｓｅｓ）」または「含む（ｉｎｃｌｕｄｅｓ）」などの語は、要素または方法ステップの排他的な組を定義するために使用されない。むしろ、そのような語は単に、本発明の特定の実施形態に含まれる要素または方法ステップの最小限の組を定義する。
【００２２】
図１を参照すると、本図は、本発明の一実施形態による弾性スリッパ１００を含むオーバーシューズダンス装置の側面図を示す。弾性スリッパ１００は、弾性スリッパ１００の長手方向軸線に沿って少なくともつま先部分１０９の最前方点１０５まで延びる第１のタップ１０１を含む。第２のタップ１０２は、長手方向軸線に沿って踵部分１１０の少なくとも最後方点１０６まで延びる。長手方向軸線は、つま先部分１０９の最前方点１０５と踵部分１１０の最後方点１０６とを結ぶ線（図示せず）に沿って延びている。
【００２３】
弾性スリッパ１００の下側部分と第２のタップ１０２との間には、取り外し可能な固定具１０８によってスリッパ１００と第２のタップ１０２との間で圧縮される中間層１０３がある。本発明のいくつかの実施形態はまた、スリッパ１００の下側部分から突出する把持装置１０７を提供し、ダンス装置の使用中にダンサーが滑らないように補助する。本発明のいくつかの実施形態はまた、スリッパ１００の換気および伸長を向上させるために、スリッパ１００内に画定された切り抜き領域１１１を含む。中間層１０３は、ポリウレタンまたは弾性材料を含み得る。有利なことに、追加のポリウレタン層は、より広い範囲のタップ音を提供するのを助け、より良い音響共鳴を生成する。
【００２４】
図２は、弾性スリッパ１００の底面図を示す。
図３は、弾性スリッパ１００の上面図を示す。図示するように、スリッパ１００は、タップダンサーの靴（図示せず）をしっかりと把持するためのタブ１１２をさらに含むことができる。
【００２５】
また、図４〜図６は、弾性スリッパ１００の正面図、背面図および斜視図をそれぞれ示す。
図７は、標準的なランニングシューズ上に装着されたときの弾性スリッパ１００を示す。最前方点１０５と最後方点１０６とが明確に示されている。
【００２６】
要約すると、本発明のいくつかの実施形態の利点は、従来のタップシューズよりも実質的に安価であり、また、使用者の靴に容易に配置され、かつ、使用者の靴から容易に取り外される、オーバーシューズ装置のひも無しの軽量設計を含む。他の利点は、タップの向上した位置決めおよび安定した配置を含み、これは、タップが音の広いスペクトルにわたってより豊かな音を生成することを可能にする。さらに、本発明のいくつかの実施形態は、換気を向上させ、装置が靴を覆って十分に伸張することを可能にする切り抜き領域を含む。アンダーフットテクスチャーを施した把持パッドは、ダンサーに滑りを防ぐための強化したフットコントロールを提供する。さらに、より補助的な履物にアタッチメントを配置する能力は、バランス性、安定性および吸収性のための強化範囲をダンサーに提供する。アタッチメントの柔軟性により、ダンサーは、より広い範囲の足の動きを提供する柔軟な靴にアタッチメントを配置することができる。
【００２７】
本発明の様々な実施形態に関する上記説明は、関連技術の当業者への説明のために提供される。本発明を網羅することや、本発明を単一の開示された実施形態に限定することを意図するものではない。本発明の多くの代替物および変形物は、上記の教示に触れた当業者には明らかであろう。よって、いくつかの代替実施形態が具体的に議論されたが、他の実施形態は、当業者にとって明らかであり、または当業者によって比較的容易に開発されるであろう。したがって、本明細書は、ここで論じた本発明のすべての代替物、改変物および変形物、ならびに上記発明の精神および範囲内にある他の実施形態を包含するように意図されている。
【図１】
2018509265.tif 000003
【図２】
2018509265.tif 000004
【図３】
2018509265.tif 000005
【図４】
2018509265.tif 000006
【図５】
2018509265.tif 000007
【図６】
2018509265.tif 000008
【図７】
2018509265.tif 000009
【国際調査報告】
2018509265.tif 000010
2018509265.tif 000011
2018509265.tif 000012